(57)【要約】  ワイヤレス通信の方法は、ユーザ機器（ＵＥ）にチャネル状態情報基準信号（ＣＳＩ-ＲＳ）を送信することを含む。ＵＥが、干渉するＣＳＩ-ＲＳによって引き起こされる干渉を緩和し得るように、ＣＳＩ-ＲＳ構成情報が送信される。ＣＳＩ-ＲＳ構成は、近隣セルのＣＳＩ-ＲＳ構成であり得る。
2016524353.tif 000002
【特許請求の範囲】
【請求項１】
ワイヤレス通信の方法であって、
干渉するチャネル状態情報基準信号（ＣＳＩ-ＲＳ）によって引き起こされる干渉を緩和するために、ユーザ機器（ＵＥ）にＣＳＩ-ＲＳ構成情報を送信すること
を備える、方法。
【請求項２】
前記ＣＳＩ-ＲＳ構成情報は、１つの近隣セルの異なるユーザのＣＳＩ-ＲＳ構成の上位集合、または複数の近隣セルのＣＳＩ-ＲＳ構成の上位集合を備える、請求項１に記載の方法。
【請求項３】
前記ＣＳＩ-ＲＳ構成情報は、近隣セルのＣＳＩ-ＲＳ構成を備える、請求項１に記載の方法。
【請求項４】
近隣セルのＣＳＩ-ＲＳに関わるリソース要素の制限されたセットを、前記近隣セルから、受信することをさらに備える、請求項１に記載の方法。
【請求項５】
仮想セルＩＤの制限されたセットまたは物理セルＩＤ（ＰＣＩ）にＣＳＩ-ＲＳ仮想セルＩＤを制限することをさらに備える、請求項１に記載の方法。
【請求項６】
前記ＣＳＩ-ＲＳ構成情報は、近隣セルのＣＳＩ-ＲＳサブフレームを備える、請求項１に記載の方法。
【請求項７】
近隣セルのゼロ・パワーおよびノン・ゼロ・パワーＣＳＩ-ＲＳの同じロケーションにゼロ・パワーおよびノン・ゼロ・パワーＣＳＩ-ＲＳを制限することをさらに備える、請求項１に記載の方法。
【請求項８】
近隣セルのページング情報を送信することをさらに備える、請求項１に記載の方法。
【請求項９】
前記送信は前記ＵＥの受信機タイプに少なくとも部分的に基づく、請求項１に記載の方法。
【請求項１０】
ワイヤレス通信の方法であって、
干渉するデータ・チャネルに関連した復調基準信号（ＤＭ-ＲＳ）の仮想セルＩＤを検出することと、
一組のチャネル状態情報基準信号（ＣＳＩ-ＲＳ）のうちのいずれが、前記検出された仮想セルＩＤに少なくとも部分的に基づいて存在するかを決定することと、
前記決定に少なくとも部分的に基づいて、前記干渉するデータ・チャネルの干渉除去を実施することと
を備える、方法。
【請求項１１】
前記一組のＣＳＩ-ＲＳは、一組のノン・ゼロ・パワーＣＳＩ-ＲＳまたは一組のゼロ・パワーＣＳＩ-ＲＳを備える、請求項１０に記載の方法。
【請求項１２】
前記一組のＣＳＩ-ＲＳのインジケーションを動的に受信することをさらに備える、請求項１０に記載の方法。
【請求項１３】
ワイヤレス通信の方法であって、
干渉するチャネル状態情報基準信号（ＣＳＩ-ＲＳ）によって引き起こされる干渉を緩和するために、ＣＳＩ-ＲＳ構成情報を、ユーザ機器（ＵＥ）において、受信すること
を備える、方法。
【請求項１４】
前記ＣＳＩ-ＲＳ構成情報は、１つの近隣セルの異なるユーザのＣＳＩ-ＲＳ構成の上位集合、または複数の近隣セルのＣＳＩ-ＲＳ構成の上位集合を備える、請求項１３に記載の方法。
【請求項１５】
前記ＣＳＩ-ＲＳ構成情報は、近隣セルのＣＳＩ-ＲＳ構成を備える、請求項１３に記載の方法。
【請求項１６】
サービング・セルは、近隣セルのＣＳＩ-ＲＳに関わるリソース要素の制限されたセットを受信する、請求項１３に記載の方法。
【請求項１７】
ＣＳＩ-ＲＳ仮想セルＩＤは、仮想セルＩＤの制限されたセットまたは物理セルＩＤ(ＰＣＩ)に制限される、請求項１３に記載の方法。
【請求項１８】
前記ＣＳＩ-ＲＳ構成情報は、近隣セルのＣＳＩ-ＲＳサブフレームを備える、請求項１３に記載の方法。
【請求項１９】
ゼロ・パワーおよびノン・ゼロ・パワーＣＳＩ-ＲＳは、近隣セルのゼロ・パワーおよびノン・ゼロ・パワーＣＳＩ-ＲＳの同じロケーションに制限される、請求項１３に記載の方法。
【請求項２０】
近隣セルのページング情報を受信することをさらに備える、請求項１３に記載の方法。
【請求項２１】
前記受信は、前記ＵＥの受信機タイプに少なくとも部分的に基づく、請求項１３に記載の方法。
【請求項２２】
干渉するチャネル状態情報基準信号（ＣＳＩ-ＲＳ）によって引き起こされる干渉を緩和するために、ＣＳＩ-ＲＳ構成情報を受信するための手段と、
前記受信されたＣＳＩ-ＲＳ構成情報に少なくとも部分的に基づいて前記干渉を緩和するための手段と、を備える装置。
【請求項２３】
前記ＣＳＩ-ＲＳ構成情報は、１つの近隣セルの異なるユーザのＣＳＩ-ＲＳ構成の上位集合、または複数の近隣セルのＣＳＩ-ＲＳ構成の上位集合を備える、請求項２２に記載の装置。
【請求項２４】
前記ＣＳＩ-ＲＳ構成情報は、近隣セルのＣＳＩ-ＲＳ構成を備える、請求項２２に記載の装置。
【請求項２５】
サービング・セルは、近隣セルのＣＳＩ-ＲＳに関わるリソース要素の制限されたセットを受信する、請求項２２に記載の装置。
【請求項２６】
ＣＳＩ-ＲＳ仮想セルＩＤは、仮想セルＩＤの制限されたセットまたは物理セルＩＤ(ＰＣＩ)に制限される、請求項２２に記載の装置。
【請求項２７】
前記ＣＳＩ-ＲＳ構成情報は、近隣セルのＣＳＩ-ＲＳサブフレームを備える、請求項２２に記載の装置。
【請求項２８】
ゼロ・パワーおよびノン・ゼロ・パワーＣＳＩ-ＲＳは、近隣セルのゼロ・パワーおよびノン・ゼロ・パワーＣＳＩ-ＲＳの同じロケーションに制限される、請求項２２に記載の装置。
【請求項２９】
少なくとも１つのプロセッサは、近隣セルのページング情報を受信するようにさらに構成される、請求項２２に記載の装置。
【請求項３０】
前記受信は、前記ＵＥの受信機タイプに少なくとも部分的に基づく、請求項２２に記載の装置。
【発明の詳細な説明】
【関連出願の相互参照】
【０００１】
[0001]  本出願は、２０１３年４月３日に出願された「CHANNEL STATE INFORMATION REFERENCE SIGNAL (CSI-RS) HANDLING FOR NETWORK ASSISTED INTERFERENCE CANCELLATION」と題する米国仮特許出願第６１／８０８，１６７に基づく優先権を米国特許法第１１９条の下で主張し、それの開示は、参照することによりその全体がここに明白に含まれる。
【技術分野】
【０００２】
[0002]  本開示の態様は、一般に、ワイヤレス通信システムに関わり、より具体的には、干渉の除去および緩和（interference cancellation and mitigation）に関わる。
【背景技術】
【０００３】
[0003]  ワイヤレス通信システムは、電話通信、ビデオ、データ、メッセージング、およびブロードキャストのようなさまざまな遠隔通信サービスを提供するために広く展開されている。典型的なワイヤレス通信システムは、（例えば帯域幅、送信電力のような）利用可能なシステム・リソースを共有することによって複数のユーザとの通信をサポートすることが可能である多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ-ＦＤＭＡ）システム、および、時分割同期符号多元接続（ＴＤ-ＳＣＤＭＡ）システムを含む。
【０００４】
[0004]  これらの多元接続技術は、異なるワイヤレス・デバイスが地方（municipal）、国、地域、むしろ地球規模で通信することを可能にする共通のプロトコルを提供するために、さまざまな電気通信標準において採用されている。新たな電気通信標準の１つの例は、ロング・ターム・エボリューション（ＬＴＥ）である。ＬＴＥは、第３世代パートナーシップ・プロジェクト（３ＧＰＰ）によって推奨されているユニバーサル・モバイル・テレコミュニケーション・システム（ＵＭＴＳ）モバイル標準に対する一連のエンハンスメント（enhancement）である。それは、スペクトル効率を向上させることによってモバイル・ブロードバンド・インターネット・アクセスをより良好にサポートし、コストを下げ、サービスを向上し、新しいスペクトルを使用し、および、ダウンリンク（ＤＬ）におけるＯＦＤＭＡ、アップリンク（ＵＬ）におけるＳＣ-ＦＤＭＡ、および多入力他出力（ＭＩＭＯ）アンテナ技術を使用して他のオープン・スタンダードとより良好に融合されるように、設計されている。しかしながら、モバイル・ブロードバンド・アクセスに対する需要が増大し続けているため、ＬＴＥ技術においてさらなる改善の必要がある。好ましくは、これらの改善は、これら技術を用いる電気通信標準および他の多元接続技術に適用可能であるべきである。
【０００５】
[0005]  これは、下記の詳細な説明がより理解されやすいように、本開示の特徴および技術的な利点の概要を、やや幅広く説明している。本開示のさらなる特徴および利点は、下記に説明される。本開示が本開示の同じ目的を実行するために他の構造を設計または変更するための基礎として容易に使用され得ることは、当業者に理解されるべきである。このような同等の構造物が添付の請求項において説明されているような本開示の教示から逸脱していないこともまた、当業者に認識されるべきである。オペレーションの方法および組織の両方に関する新規の特徴は、本開示に特有のものと考えられており、さらなる課題および利点と共に、添付の図面と関連して考慮されるときに下記の説明から容易に理解されるだろう。しかしながら、図面の各々は、実例および説明のためにのみ提供されているのであり、本開示の限定の定義として意図されるのではないことは、明確に理解されるべきである。
【発明の概要】
【０００６】
[0006]  本開示の一態様では、ワイヤレス通信の１つの方法が開示される。この方法は、干渉するＣＳＩ-ＲＳによって引き起こされる干渉を緩和するために（to mitigate interference caused by interfering CSI-RSs）、ＵＥにＣＳＩ-ＲＳ構成情報を送信することを含む。
【０００７】
[0007]  本開示の別の態様では、ワイヤレス通信の１つの方法が開示される。方法は、干渉するデータ・チャネルに関連した復調基準信号（a demodulation reference signal）（ＤＭ-ＲＳ）の仮想セルＩＤ（a virtual cell ID）を検出することを含む。方法はまた、一組のＣＳＩ-ＲＳのうちのいずれが、検出された仮想セルＩＤに基づいて存在するかを決定することを含む。方法は、前記決定することに基づいて、干渉するデータ・チャネルの干渉除去を実施することをさらに含む。
【０００８】
[0008]  本開示のさらに別の態様では、ワイヤレス通信の１つの方法が開示される。方法は、干渉するＣＳＩ-ＲＳによって引き起こされる干渉を緩和するために、ＵＥにおいて、ＣＳＩ-ＲＳ構成情報を受信することを含む。
【０００９】
[0009]  本開示のまたさらに別の態様では、メモリと、メモリに接続されている少なくとも１つのプロセッサとを有するワイヤレス通信が開示される。（複数を含む）プロセッサは、干渉するＣＳＩ-ＲＳによって引き起こされる干渉を緩和するためにＣＳＩ-ＲＳ構成情報を受信するように構成される。
【００１０】
[0010]  本開示の別の態様では、ワイヤレス通信のための装置が開示される。装置は、干渉するＣＳＩ-ＲＳによって引き起こされる干渉を緩和するためにＣＳＩ-ＲＳ構成情報を受信するための手段を含む。装置はまた、受信されたＣＳＩ-ＲＳ構成情報に少なくとも部分的に基づいて干渉を緩和するための手段を含む。
【００１１】
[0011]  本開示のさらに別の態様では、ワイヤレス通信に関わる１つの装置が開示される。装置は、サービング・セルおよび／または近隣セルに関わるＣＳＩ-ＲＳ構成情報を決定するための手段を含む。装置はまた、干渉するＣＳＩ-ＲＳによって引き起こされる干渉を緩和するためにＵＥにＣＳＩ-ＲＳ構成情報を送信するための手段を含む。
【００１２】
[0012]  本開示のさらに別の態様は、ワイヤレス通信のための装置に関わる。装置は、干渉するデータ・チャネルに関連したＤＭ-ＲＳの仮想セルＩＤを検出するための手段を含む。装置はまた、一組のＣＳＩ-ＲＳのうちのいずれが、検出された仮想セルＩＤに基づいて存在するかを決定するための手段を含む。装置は、存在する決定された一組のＣＳＩ-ＲＳに基づいて、干渉するデータ・チャネルの干渉除去を実施するための手段をまたさらに含む。
【００１３】
[0013]  本開示のさらなる特徴および利点は、下記に説明される。本開示が本開示の同じ目的を実行するために他の構造を設計または変更するための基礎として容易に使用され得ることは、当業者に理解されるべきである。このような同等の構造物が添付の請求項において説明されているような本開示の教示から逸脱していないこともまた、当業者に認識されるべきである。オペレーションの方法および組織の両方に関する新規の特徴は、本開示に特有のものと考えられており、さらなる課題および利点と共に、添付の図と関連して考慮されるときに下記の説明から容易に理解されるだろう。しかしながら、図面の各々は、実例および説明のためにのみ提供されているのであり、本開示の限定の定義として意図されるのではないことは、明確に理解されるべきである。
【００１４】
[0014]  本開示の特徴、性質および利点は、同じ参照符号が全体にわたって対応して識別している図面と併用される場合、以下に示される詳細な説明からより明らかとなるだろう。
【図面の簡単な説明】
【００１５】
【図１】ネットワーク・アーキテクチャの一例を示す図である。
【図２】アクセス・ネットワークの一例を示す図である。
【図３】ＬＴＥにおけるダウンリンク・フレーム構造の一例を示す図である。
【図４】ＬＴＥにおけるアップリンク・フレーム構造の一例を示す図である。
【図５】ユーザおよび制御プレーンのための無線プロトコル・アーキテクチャの一例を示す図である。
【図６】アクセス・ネットワークにおけるユーザ機器および進化型ノードＢの一例を示す図である。
【図７】さまざまなＥＰＤＣＣＨ構造を示すブロック図である。
【図８Ａ】本開示の態様にしたがったＣＳＩ-ＲＳを処理する（handling）ための方法を示すブロック図である。
【図８Ｂ】本開示の態様にしたがったＣＳＩ-ＲＳを処理するための方法を示すブロック図である。
【図８Ｃ】本開示の態様にしたがったＣＳＩ-ＲＳを処理するための方法を示すブロック図である。
【図９】例示的な装置において異なるモジュール／手段／コンポーネントを示すブロック図である。
【図１０】例示的な装置において異なるモジュール／手段／コンポーネントを示すブロック図である。
【図１１】例示的な装置において異なるモジュール／手段／コンポーネントを示すブロック図である。
【発明を実施するための形態】
【００１６】
［0024］  添付の図面と関連して下記に説明される詳細な説明は、さまざまな構成の説明として意図されており、ここに説明されている概念が実施され得る構成のみを示すことは、意図されない。この詳細な説明は、さまざまな概念の完全な理解を提供するために、具体的な詳細を含む。しかしながら、これらの概念がこれらの具体的な詳細なしでも実施され得ることは、当業者には明らかであろう。いくつかの事例では、周知の構造およびコンポーネントが、このような概念を曖昧にすることを避けるために、ブロック図の形式で示される。
【００１７】
［0025］  電気通信システムの複数の態様が、さまざまな装置および方法を参照して示される。これらの装置および方法は、（まとめて「要素（elements）」と呼ばれる）さまざまなブロック、モジュール、コンポーネント、回路、ステップ、プロセス、アルゴリズムなどによって添付の図面に示され、および、以下の詳細な説明において説明される。これら要素は、電子ハードウェア、コンピュータ・ソフトウェア、またはそれらの任意の組合せを使用して実装され得る。このような要素がハードウェアとして実装されるか、またはソフトウェアとして実装されるかは、システム全体に課せられた設計制限および特定のアプリケーションに依存する。
【００１８】
［0026］  例の目的で、１つの要素、または、１つの要素の任意の部分、または、複数の要素の任意の組合せが、１つ以上のプロセッサを含む「処理システム」によって実装され得る。プロセッサのいくつかの例は、マイクロプロセッサ、マイクロコントローラ、デジタル信号プロセッサ（ＤＳＰ）、フィールド・プログラマブル・ゲート・アレイ（ＦＰＧＡ）、プログラマブル・ロジック、デバイス（ＰＬＤ）、ステート・マシン、ゲート型ロジック（gated logic）、離散ハードウェア回路、および、本開示全体にわたって説明されているさまざまな機能を実施するように構成されているその他の適切なハードウェアを含む。処理システムにおける１つ以上のプロセッサは、ソフトウェアを実行し得る。ソフトウェアは、ソフトウェア、ファームウェア、ミドルウェア、マイクロコード、ハードウェア記述言語、またはその他のいずれの呼び名で呼ばれようと、命令群、命令群のセット、コード、コード・セグメント、プログラム・コード、プログラム、サブプログラム、ソフトウェア・モジュール、アプリケーション、ソフトウェア・アプリケーション、ソフトウェア・パッケージ、ルーティン、サブルーティン、オブジェクト、実行ファイル（executables）、実行ファイルのスレッド、手順、機能などを意味するために、広く解釈されるべきである。
【００１９】
［0027］  したがって、１つ以上の例示的な実施形態では、説明されている機能が、ハードウェア、ソフトウェア、ファームウェア、またはその他任意の組合せにおいて実装され得る。ソフトウェアにおいて実装される場合、機能は、非一時的なコンピュータ可読媒体における１つ以上の命令またはコードに記憶され得るか、非一時的なコンピュータ可読媒体における１つ以上の命令またはコードとして、エンコードされ得る。コンピュータ可読媒体は、コンピュータ記憶媒体を含む。記憶媒体は、コンピュータによってアクセスされることができる任意の使用可能な媒体であり得る。限定ではなく例の目的で、このようなコンピュータ可読媒体は、ＲＡＭ、ＲＯＭ、ＥＥＰＲＯＭ（登録商標）、ＣＤ-ＲＯＭ、または他の光ディスク記憶装置、磁気ディスク記憶装置、または他の磁気記憶デバイス、または、命令またはデータ構造の形態で所望のプログラム・コードを伝送または記憶するために使用されることができ、およびコンピュータによってアクセスされることができるその他任意の媒体を備えることができる。ここで使用されているようなディスク（disk）およびディスク（disc）は、コンパクト・ディスク（ＣＤ)、レーザ・ディスク、光ディスク、デジタル多用途ディスク（ＤＶＤ)、フロッピー（登録商標）・ディスク、およびブルーレイ・ディスク（登録商標）を含み、ディスク（disk）は通例磁気的にデータを再生し、これに対してディスク（disc）は、レーザを用いて光学的にデータを再生する。上記の組合せもまた、コンピュータ可読媒体の範囲内に含まれるべきである。
【００２０】
［0028］  図１は、ＬＴＥネットワーク・アーキテクチャ１００を示すダイヤグラムである。ＬＴＥネットワーク・アーキテクチャ１００は、進化型パケット・システム（an Evolved Packet System）（ＥＰＳ）１００と呼ばれ得る。ＥＰＳ１００は、１つ以上のユーザ機器（ＵＥ）１０２、進化型ＵＭＴ地上無線アクセス・ネットワーク（Ｅ-ＵＴＲＡＮ）１０４、進化型パケット・コア（ＥＰＣ）１１０、ホーム加入者サーバ（ＨＳＳ）１２０、およびオペレータのＩＰサービス１２２を含み得る。ＥＰＳは、他のアクセス・ネットワークと相互接続することができ、しかし、簡潔さのために、これらのエンティティ／インターフェースは示されていない。示されているように、ＥＰＳは、パケット交換サービスを提供し、しかしながら、当業者は容易に理解し得るように、本開示全体に示されているさまざまな概念は、回線交換サービスを提供するネットワークにまで拡張され得る。
【００２１】
[0029]  Ｅ-ＵＴＲＡＮは、進化型ノードＢ（evolved Node B）（ｅノードＢ（eNodeB））１０６および他のｅノードＢ１０８を含む。ｅノードＢ１０６は、ＵＥ１０２に向かうユーザおよび制御プレーン・プロトコル終端（user and control plane protocol terminations toward the UE 102）を提供する。ｅノードＢ１０６は、バックホール（例えば、Ｘ２インターフェース）を介して他のｅノードＢ１０８に接続され得る。ｅノードＢ１０６は、基地局、トランシーバ基地局、無線基地局、無線トランシーバ、トランシーバ機能、ベーシック・サービス・セット（ＢＳＳ）、拡張サービス・セット（ＥＳＳ）、またはその他いくつかの適切な専門用語でも、呼ばれ得る。ｅノードＢ１０６は、ＵＥ１０２のためのＥＰＣ１１０へのアクセス・ポイントを提供する。ＵＥ１０２のいくつかの例は、セルラー電話、スマート・フォン、セッション開始プロトコル（ＳＩＰ：session initiation protocol）電話、ラップトップ、携帯情報端末（ＰＤＡ：personal digital assistant）、衛星ラジオ、グローバル・ポジショニング・システム、マルチメディア・デバイス、ビデオ・デバイス、デジタル・オーディオ・プレーヤ（例えばＭＰ３プレーヤ）、カメラ、ゲーム機、またはその他任意の同様の機能するデバイスを含む。ＵＥ１０２は、当業者によって、移動局、加入者ステーション（subscriber station）、モバイル・ユニット、加入者ユニット、ワイヤレス・ユニット、リモート・ユニット、モバイル・デバイス、ワイヤレス・デバイス、ワイヤレス通信デバイス、リモート・デバイス、モバイル加入者ステーション、アクセス端末、モバイル端末、ワイヤレス端末、リモート端末、ハンドセット、ユーザ・エージェント、モバイル・クライアント、クライアント、またはその他いくつかの適切な専門用語でも呼ばれ得る。
【００２２】
[0030]  ｅノードＢ１０６は、例えばＳ１インターフェースを介してＥＰＣ１１０に接続されている。ＥＰＣ１１０は、モビリティ管理エンティティ（ＭＭＥ）１１２、他のＭＭＥ１１４、サービング・ゲートウェイ１１６、およびパケット・データ・ネットワーク（ＰＤＮ）ゲートウェイ１１８を含む。ＭＭＥ１１２は、ＵＥ１０２およびＥＰＣ１１０の間のシグナリングを処理する制御ノードである。一般に、ＭＭＥ１１２は、ベアラおよび接続管理を提供する。すべてのユーザＩＰパケットは、サービング・ゲートウェイ１１６を介して伝送され、それ自体は、ＰＤＮゲートウェイ１１８に接続されている。ＰＤＮゲートウェイ１１８は、ＵＥのＩＰアドレス割当て（UE IP address allocation）、および他の機能を提供する。ＰＤＮゲートウェイ１１８は、オペレータのＩＰサービス１２２に接続されている。オペレータのＩＰサービス１２２は、インターネット、イントラネット、ＩＰマルチメディア・サブシステム（ＩＭＳ）、およびＰＳストリーミング・サービス（ＰＳＳ）を含み得る。
【００２３】
[0031]  図２は、ＬＴＥネットワーク・アーキテクチャにおけるアクセス・ネットワーク２００の一例を示すダイヤグラムである。この例では、アクセス・ネットワーク２００は、複数のセルラー領域（セル）２０２に分割される。１つ以上のより低い電力クラスのｅノードＢ２０８は、１つ以上のセル２０２と重複するセルラー領域２１０を有し得る。より低い電力クラスのｅノードＢ２０８は、リモート・ラジオ・ヘッド（ＲＲＨ：remote radio head）、フェムト・セル（例えばホームｅノードＢ（ＨｅＮＢ））、ピコ・セル、またはマイクロ・セルであり得る。マクロｅノードＢ２０４は、それぞれのセル２０２に各々割り当てられ、セル２０２におけるすべてのＵＥ２０６のためのＥＰＣ１１０へのアクセス・ポイントを提供するように構成される。アクセス・ネットワーク２００のこの例では、集中制御装置（centralized controller）が無いが、別の構成では、集中制御装置が使用され得る。ｅノードＢ２０４は、サービング・ゲートウェイ１１６への接続、安全、スケジューリング、移動度制御、流入制御（admission control）、無線ベアラ制御を含む全ての無線関連の機能に関与する。
【００２４】
[0032]  アクセス・ネットワーク２００によって用いられる多元接続および変調スキームは、展開される特定の通信標準に依存して変わり得る。ＬＴＥアプリケーションでは、ＯＦＤＭはダウンリンクにおいて使用され、ＳＣ-ＦＤＭＡはアップリンクにおいて使用されて、周波数分割二重（ＦＤＤ）および時分割二重（ＴＤＤ）の両方をサポートする。当業者は、ここに示されるさまざまなコンセプトがＬＴＥアプリケーションに適していることを、以下の詳細な説明から容易に理解するだろう。しかしながら、これらのコンセプトは、他の変調および多元接続技術を用いる他の電気通信標準に容易に拡張され得る。例として、これらのコンセプトは、エボルーション・データ・オプティマイズド（ＥＶ-ＤＯ）またはウルトラ・モバイル・ブロードバンド（ＵＭＢ）に拡張され得る。ＥＶ-ＤＯおよびＵＭＢは、ＣＤＭＡ２０００ファミリー標準の一部として３世代パートナシップ・プロジェクト２（３ＧＰＰ２)によって推奨されているエア・インターフェース標準であり、移動局へのブロードバンド・インターネット・アクセスを提供するためにＣＤＭＡを用いる。これらのコンセプトはまた、広帯域ＣＤＭＡ(Ｗ-ＣＤＭＡ)およびＣＤＭＡの他の変形、例えばＴＤ-ＳＣＤＭＡを用いるユニバーサル地上無線アクセス（ＵＴＲＡ：Universal Terrestrial Radio Access）、ＴＤＭＡを用いるモバイル・コミュニケーションのためのグローバル・システム（ＧＳＭ（登録商標）：Global System for Mobile Communications）、および、ＯＦＤＭＡを用いるフラッシュＯＦＤＭＡ、ＩＥＥＥ８０２．２０、ＩＥＥＥ８０２．１６（ＷｉＭＡＸ（登録商標））、ＩＥＥＥ８０２．１１（Ｗｉ-Ｆｉ）、ウルトラ・モバイル・ブロードバンド（ＵＭＢ）、進化型ＵＴＲＡ（Ｅ-ＵＴＲＡ）に拡張され得る。ＵＴＲＡ、Ｅ-ＵＴＲＡ、ＵＭＴＳ、ＬＴＥおよびＧＳＭは３ＧＰＰ機関からの文書において説明されている。ＣＤＭＡ２０００およびＵＭＢは、３ＧＰＰ２機関からの文書において説明されている。実際のワイヤレス通信標準（actual telecommunication standard）、および、用いられている多元接続技術は、システムに課せられた全体の設計制限および特定のアプリケーションに依存するだろう。
【００２５】
[0033]  ｅノードＢ２０４はＭＩＭＯ技術をサポートする複数のアンテナを有し得る。ＭＩＭＯ技術の使用は、ｅノードＢ２０４が、空間多重化、ビームフォーミング、および送信ダイバーシチをサポートするために、空間ドメインを利用することを可能にする。空間多重化は、同じ周波数において同時にデータの異なるストリームを送信するために使用され得る。データ・ストリームは、データ・レートを上げるために単一のＵＥ２０６に送信され、全体のシステム容量を増大するために複数のＵＥ２０６に送信され得る。これは、各データ・ストリームを空間的にプリコーディング（precoding）し（例えば、振幅および位相のスケーリングを適用し）、そしてダウンリンクにおける複数の送信アンテナを通して各空間的にプリコーディングされたストリームを送信することによって、達成される。空間的にプリコーディングされたデータ・ストリームは、異なる空間シグナチャー（spatial signature）で（複数を含む）ＵＥ２０６に到達し（arrive at the UE(s) 206 with different spatial signatures）、それは、（複数を含む）ＵＥ２０６の各々が、そのＵＥ２０６に向けられた１つ以上のデータ・ストリームを回復する（recover）ことを可能にする。アップリンクでは、各ＵＥ２０６は、空間的にプリコーディングされたデータ・ストリームを送信し、それは、ｅノードＢ２０４が、各空間的にプリコーディングされたデータ・ストリームのソースを識別することを可能にする。
【００２６】
[0034]  空間多重化は、チャネルの状態が良好であるときに一般的に使用される。チャネルの状態があまり好ましくない場合、ビームフォーミングは、１つ以上の方向に送信エネルギーを集中させるために使用され得る。このことは、複数のアンテナによる送信のためのデータを空間的にプリコーディングすることによって達成され得る。セルの端に良好なカバレッジを獲得するために、単一のストリームのビームフォーミング送信（single stream beamforming transmission）は、送信ダイバーシチと組み合わせて使用され得る。
【００２７】
[0035]  以下の詳細な説明では、アクセス・ネットワークのさまざまな態様が、ダウンリンクにおいてＯＦＤＭをサポートするＭＩＭＯシステムを参照して、説明される。ＯＦＤＭは、ＯＦＤＭシンボル内の複数のサブキャリアにわたってデータを変調するスペクトラム拡散技術である。複数のサブキャリアは、正確な周波数で離間されている。離間すること（spacing）は、受信機がサブキャリアからデータを回復することを可能にする「直交性（orthogonality）」を提供する。時間ドメインにおいて、ガード・インターバル（例えば、サイクリック・プレフィックス（cyclic prefix））は、ＯＦＤＭシンボル間の干渉（inter-OFDM-symbol interference）に対抗するために、各ＯＦＤＭシンボルに加えられ得る。アップリンクは、高いピーク対平均電力比（ＰＡＰＲ)を補償する（compensate）ために、ＤＦＴ拡散ＯＦＤＭ信号（DFT-spread OFDM signal）の形態で、ＳＣ-ＦＤＭＡを使用し得る。
【００２８】
［0036］  図３は、ＬＴＥにおいてダウンリンク・フレーム構造の一例を示すダイヤグラム３００である。フレーム（１０ｍｓ）は、１０個の同じ大きさのサブフレームに分けられ得る。各サブフレームは、２つの連続したタイム・スロットを含み得る。リソース・グリッドは、２つのタイム・スロットを示すために使用され得、各タイム・スロットは、１つのリソース・ブロックを含む。リソース・グリッドは、複数のリソース要素に分けられる。ＬＴＥでは、リソース・ブロックは、周波数ドメインにおいて１２個の連続したサブキャリアを含み、各ＯＦＤＭシンボルにおける標準のサイクリック・プレフィックスに関しては、時間ドメインにおいて７個の連続したＯＦＤＭシンボルを含み、または８４個のリソース要素を含む。拡張されたサイクリック・プレフィックスに関しては、リソース・ブロックは、時間ドメインにおいて６個の連続したＯＦＤＭシンボルを含み、７２個のリソース要素を有している。リソース要素のいくつかは、Ｒ３０２、３０４と示されているように、ダウンリンク基準信号（downlink reference signals）（ＤＬ-ＲＳ)を含む。ＤＬ-ＲＳは、セル固有のＲＳ（Cell-specific RS）（ＣＲＳ）（時として共通のＲＳとも呼ばれる）３０２およびＵＥ固有のＲＳ（UE-specific RS）（ＵＥ-ＲＳ）３０４を含む。ＵＥ-ＲＳ３０４は、対応する物理ダウンリンク共有チャネル（ＰＤＳＣＨ：physical downlink shared channel）がマップされるリソース・ブロックにおいてのみ、送信される。各リソース要素によって伝送されるビットの数は、変調スキームに依存する。かくして、ＵＥが受信するリソース・ブロックが多いほど、かつ変調スキームが高いほど、ＵＥに対するデータレートは高くなる。
【００２９】
［0037］  図４は、ＬＴＥにおいてアップリンク・フレーム構造の一例を示すダイヤグラム４００である。アップリンクに対して利用可能なリソース・ブロックは、データ・セクションと制御セクションに区分化され得る。制御セクションは、システム帯域幅の２つの端部において形成され得、設定可能な大きさを有し得る。制御セクションにおけるリソース・ブロックは、制御情報の送信のために、ＵＥに割り当てられ得る。データ・セクションは、制御セクションに含まれないすべてのリソース・ブロックを含み得る。アップリンク・フレーム構造は、隣接するサブキャリアを含むデータ・セクションをもたらし、それは、単一のＵＥが、データ・セクションにおいて隣接するサブキャリアのすべてを割り当てられることを可能にし得る。
【００３０】
［0038］  ＵＥは、ｅノードＢに制御情報を送信するために、制御セクションにおいてリソース・ブロック４１０ａ、４１０ｂを割り当てられ得る。ＵＥはまた、ｅノードＢにデータを送信するために、データ・セクションにおいてリソース・ブロック４２０ａ、４２０ｂを割り当てられ得る。ＵＥは、制御セクションにおいて割り当てられたリソース・ブロック上の物理アップリンク制御チャネル（ＰＵＣＣＨ：physical uplink control channel）において制御情報を送信し得る。ＵＥは、データ・セクションで割り当てられたリソース・ブロック上の物理アップリンク共有チャネル（ＰＵＳＣＨ）においてデータのみを、または、データおよび制御情報の両方を送信し得る。アップリンク送信は、サブフレームの両スロットに及び得、周波数にわたってホップし得る。
【００３１】
［0039］  一組のリソース・ブロックは、初期のシステム・アクセスを実施して、物理ランダム・アクセス・チャネル（ＰＲＡＣＨ）４３０においてアップリンク同期を獲得するために使用され得る。ＰＲＡＣＨ４３０は、ランダム・シーケンスを伝送する。各ランダム・アクセス・プリアンブルが、６つの連続したリソース・ブロックに対応した帯域幅を占有する。始動周波数（starting frequency）が、ネットワークによって指定される。すなわち、ランダム・アクセス・プリアンブルの送信は、特定の時間および周波数リソースに制限される。ＰＲＡＣＨのための周波数ホッピングはない。ＰＲＡＣＨの試み（PRACH attempt）は、単一のサブフレーム（１ｍｓ）で、または、一連の少量の隣接したサブフレームで伝送され、ＵＥは、フレーム（１０ｍｓ）毎に単一のＰＲＡＣＨの試みのみを実施することができる。
【００３２】
［0040］  図５は、ＬＴＥにおける制御プレーンおよびユーザ・プレーンのための無線プロトコル・アーキテクチャの一例を示すダイヤグラム５００である。ｅノードＢおよびＵＥのための無線プロトコル・アーキテクチャが、３つのレイヤー、すなわち、レイヤー１、レイヤー２、およびレイヤー３によって示されている。レイヤー１（Ｌ１レイヤー）は、最も下位のレイヤーであり、さまざまな物理レイヤー信号処理機能を実装する。Ｌ１レイヤーは、物理レイヤー５０６ともここでは呼ばれるだろう。レイヤー２（Ｌ２レイヤー）５０８は、物理レイヤー５０６より上位にあり、物理レイヤー５０６上のｅノードＢおよびＵＥの間のリンクに関与する。
【００３３】
［0041］  ユーザ・プレーンにおいて、Ｌ２レイヤー５０８は、メディア・アクセス制御（ＭＡＣ）サブレイヤー５１０、無線リンク制御（ＲＬＣ）サブレイヤー５１２、およびパケット・データ集中プロトコル（ＰＤＣＰ：packet data convergence protocol）５１４サブレイヤーを含み、それらは、ネットワーク側のｅノードＢにおいて終端となる。図示されていないが、ＵＥは、ネットワーク側のＰＤＮゲートウェイ１１８において終端となるネットワーク・レイヤー（例えば、ＩＰレイヤー）、および、接続の他方の端部で終端となるアプリケーション・レイヤー（例えば、最遠端部のＵＥ、サーバなど）を含む、Ｌ２レイヤー５０８より上位のいくつかの上位レイヤーを有し得る。
【００３４】
［0042］  ＰＤＣＰサブレイヤー５１４は、異なる無線ベアラおよび論理チャネルの間で多重化を提供する。ＰＤＣＰサブレイヤー５１４はまた、無線伝送オーバーヘッドを低減するための上位レイヤーのデータ・パケットに対するヘッダー圧縮、データ・パケットを暗号化すること（ciphering）によるセキュリティ、および、複数のｅノードＢ間の複数のＵＥに対するハンドオーバー・サポートを提供する。ＲＬＣサブレイヤー５１２は、ハイブリッド自動再送要求（ＨＡＲＱ：hybrid automatic repeat request）によって順序が乱れた受信を補償するためのデータ・パケットの再順序付け、消失したデータ・パケットの再送信、および、上位レイヤーのデータ・パケットの再アセンブリおよびセグメンテーションを提供する。ＭＡＣサブレイヤー５１０は、論理および伝送チャネル間で多重化を提供する。ＭＡＣサブレイヤー５１０はまた、複数のＵＥ間で１つのセルにおけるさまざまな無線リソース（例えば、リソース・ブロック）を割り当てることに関与する。ＭＡＣサブレイヤー５１０はまた、ＨＡＲＱオペレーションに関与する。
【００３５】
［0043］  制御プレーンにおいて、ＵＥおよびｅノードＢに関わる無線プロトコル・アーキテクチャは、制御プレーンに関わるヘッダー圧縮機能が無いこと以外は、物理レイヤー５０６およびＬ２レイヤー５０８とほぼ同じである。制御プレーンはまた、レイヤー３（Ｌ３レイヤー）における無線リソース制御（ＲＲＣ）サブレイヤー５１６を含む。ＲＲＣサブレイヤー５１６は、ｅノードＢおよびＵＥの間のＲＲＣ信号を使用する下位レイヤーを構成すること、および、無線リソース（すなわち無線ベアラ）を得ることに関与する。
【００３６】
［0044］  図６は、アクセス・ネットワークにおいてＵＥ６５０と通信するｅノードＢ６１０のブロック・ダイヤグラムである。ダウンリンクにおいて、コア・ネットワークからの上位レイヤー・パケットは、制御装置／プロセッサ６７５に提供される。制御装置／プロセッサ６７５は、Ｌ２レイヤーの機能を実装する。ダウンリンクでは、制御装置／プロセッサ６７５は、さまざまな優先度メトリック（priority metrics）に基づくＵＥ６５０へのラジオ・リソース割当て、論理および伝送チャネル間での多重化、パケットのセグメンテーションおよび再順序付け、暗号化、および、ヘッダー圧縮を提供する。制御装置／プロセッサ６７５はまた、ＨＡＲＱオペレーション、消失したパケットの再送信、および、ＵＥ６５０へのシグナリングに関与する。
【００３７】
［0045］  ＴＸプロセッサ６１６は、Ｌ１レイヤー（すなわち物理レイヤー）に関わるさまざまな信号処理機能を実装する。信号処理機能は、さまざまな変調スキーム（例えば、２相位相シフト・キーイング（ＢＰＳＫ：binary phase-shift keying）、４相位相シフト・キーイング（ＱＰＳＫ：quadrature phase-shift keying）、Ｍ相位相シフト・キーイング（Ｍ-ＰＳＫ：M-phase-shift keying）、Ｍ直交振幅変調（Ｍ-ＱＡＭ：M-quadrature amplitude modulation）に基づく、信号配列（signal constellations）へのマッピング、および、ＵＥ６５０における順方向誤り訂正（ＦＥＣ：forward error correction）を容易にするための、インターリービングおよびコーディングを含む。そして、コード化されたおよび変調されたシンボルは、並列ストリームに分けられる。そして、各ストリームは、ＯＦＤＭサブキャリアにマッピングされ、時間、および／または周波数ドメインにおける基準信号（a reference signal）（例えば、パイロット）によって多重化され、そして、時間ドメインＯＦＤＭシンボル・ストリームを伝送する物理チャネルを生成するために、逆高速フーリエ変換（ＩＦＦＴ）を使用して一緒に組み合される。ＯＦＤＭストリームは、複数の空間ストリームを生成するために、空間的にプリコードされる。チャネル推定器６７４からのチャネル推定は、コーディングおよび変調スキームを決定するために、および、空間処理のために、使用され得る。チャネル推定は、ＵＥ６５０によって送信されるチャネル状態フィードバック、および／または、基準信号から導出され得る。そして、各空間ストリームは、個別の送信機６１８ＴＸを介して異なるアンテナ６２０に提供される。各送信機６１８ＴＸは、送信のためのそれぞれの空間ストリームでＲＦキャリアを変調する。
【００３８】
［0046］  ＵＥ６５０において、各受信機６５４ＲＸは、それのそれぞれのアンテナ６５２を介して信号を受信する。各受信機６５４ＲＸは、ＲＦキャリア上に変調された情報を回復し、受信機（ＲＸ）プロセッサ６５６にその情報を提供する。ＲＸプロセッサ６５６は、Ｌ１レイヤーのさまざまな信号処理機能を実装する。ＲＸプロセッサ６５６は、ＵＥ６５０に向けられた任意の空間ストリームを回復するためにその情報に空間処理を実施する。複数の空間ストリームがＵＥ６５０に向けられる場合、それらはＲＸプロセッサ６５６によって単一のＯＦＤＭシンボル・ストリームに組み合わされ得る。そして、ＲＸプロセッサ６５６は、高速フーリエ変換（ＦＦＴ）を使用して時間ドメインから周波数ドメインにＯＦＤＭシンボル・ストリームを変換する。周波数ドメイン信号は、ＯＦＤＭシンボルの各サブキャリアに関わる個別のＯＦＤＭシンボル・ストリームを備える。各サブキャリアにおけるシンボル、および基準信号は、ｅノードＢ６１０によって送信される最も可能性の高い信号配列ポイントを決定することによって回復および復調される。これらの軟判定（soft decision）は、チャネル推定器６５８によって算出されるチャネル推定に基づき得る。そして、軟判定は、物理チャネル上でｅノードＢ６１０によって最初に送信されたデータおよび制御信号を回復するために、デコードおよびデインターリーブ（deinterleave）される。そして、データおよび制御信号は、制御装置／プロセッサ６５９に提供される。
【００３９】
［0047］  制御装置／プロセッサ６５９は、Ｌ２レイヤーを実装する。制御装置／プロセッサは、プログラム・コードおよびデータを記憶するメモリ６６０と関連づけされることができる。メモリ６６０は、コンピュータ可読媒体と呼ばれ得る。アップリンクでは、制御／プロセッサ６５９は、コア・ネットワークからの上位レイヤー・パケットを回復するために、トランスポートおよび論理チャネルの間の逆多重化（demultiplexing）、パケット再アセンブリ、暗号の解読（deciphering）、ヘッダーの解凍、制御信号処理を提供する。そして、上位レイヤー・パケットは、データ・シンク６６２に提供され、それは、Ｌ２レイヤーより上位の全てのプロトコル・レイヤーを示す。さまざまな制御信号はまた、Ｌ３処理のためにデータ・シンク６６２に提供され得る。制御信号／プロセッサ６５９はまた、ＨＡＲＱオペレーションをサポートするために、肯定応答（ＡＣＫ）および／または否定応答（ＮＡＣＫ）プロトコルを使用するエラー検出に関与する。
【００４０】
［0048］  アップリンクにおいて、データ・ソース６６７は、制御装置／プロセッサ６５９に、上位レイヤー・パケットを提供するために使用される。データ・ソース６６７は、Ｌ２レイヤーより上位の全てのプロトコル・レイヤーを示す。ｅノードＢ６１０によるダウンリンク送信に関連して説明される機能と同様に、制御装置／プロセッサ６５９は、ヘッダー圧縮、暗号化、パケットセグメンテーションおよび再順序付け、およびｅノードＢ６１０による無線リソース割当てに基づく論理およびトランスポート・チャネル間の多重化を提供することによって、制御プレーンおよびユーザ・プレーンのためのＬ２レイヤーを実施する。制御装置／プロセッサ６５９はまた、ＨＡＲＱオペレーション、消失したパケットの再送信、および、ｅノードＢ６１０へのシグナリングに関与する。
【００４１】
［0049］  ｅノードＢ６１０によって送信されるフィードバックまたは基準信号からチャネル推定器６５８によって導出されるチャネル推定は、適切なコーディングおよび変調スキームを選択するために、および空間処理を容易にするために、ＴＸプロセッサ６６８によって使用され得る。ＴＸプロセッサ６６８によって生成される空間ストリームは、個別の送信機６５４ＴＸを介して異なるアンテナ６５２に提供される。各送信機６５４ＴＸは、送信のためのそれぞれの空間ストリームでＲＦキャリアを変調する。
【００４２】
［0050］  アップリンク送信は、ＵＥ６５０において受信機の機能に関連して説明されたのと同様のやり方で、ｅノードＢ６１０において処理される。各受信機６１８ＲＸは、それのそれぞれのアンテナ６２０を介して信号を受信する。各受信機６１８ＲＸは、ＲＦキャリア上に変調された情報を回復し、ＲＸプロセッサ６７０にその情報を提供する。ＲＸプロセッサ６７０は、Ｌ１レイヤーを実装し得る。
【００４３】
［0051］  制御装置／プロセッサ６７５は、Ｌ２レイヤーを実装する。制御装置／プロセッサ６７５は、プログラム・コードおよびデータを記憶するメモリ６７６に関連づけされることができる。メモリ６７６は、コンピュータ可読媒体と呼ばれ得る。アップリンクでは、制御装置／プロセッサ６７５は、ＵＥ６５０からの上位レイヤー・パケットを回復するために、トランスポートおよび論理チャネル間での逆多重化、パケット再アセンブリ、暗号の解読、ヘッダーの解凍、制御信号処理を提供する。制御装置／プロセッサ６７５からの上位レイヤー・パケットは、コア・ネットワークに提供され得る。制御装置／プロセッサ６７５はまた、ＨＡＲＱオペレーションをサポートするために、ＡＣＫおよび／またはＮＡＣＫプロトコルを使用するエラー検出に関与する。
【００４４】
［0052］  チャネル状態情報（ＣＳＩ）フィードバックに関わるさまざまなフレームワークが、ダウンリンク多地点協調（ＣｏＭＰ：coordinated multi-point）オペレーションをサポートするために特定され得る。フィードバック・フレームワークは、ノン・ゼロ・パワー（non-zero power）（ＮＺＰ）および／またはゼロ・パワー（ＺＰ）チャネル状態情報基準信号（channel state information reference signal）（ＣＳＩ-ＲＳ）リソースに基づき得る。例えば、チャネル測定は、ノン・ゼロ・パワーＣＳＩ-ＲＳリソースに基づいて実施され得る。さらに、干渉測定が、ノン・ゼロ・パワーＣＳＩ-ＲＳリソースおよび／またはゼロ・パワー・リソースに基づいて実施され得る。
【００４５】
［0053］  いくつかの場合では、チャネル測定リソースおよび／または干渉測定リソースは、異なるフィードバック・フレームワークおよび／または干渉仮説（interference hypotheses）に関わるＣＳＩフィードバックを可能にするために、特定され得る。すなわち、複数のチャネル測定リソースは、異なるサービング前提（serving assumption）に関わるＣＳＩフィードバックを提供するために使用され得る。一構成では、ＣＳＩが、２つの分離した送信ポイントからチャネル状態について報告されるように、複数のチャネル測定リソースは、ダイナミック・ポイント選択（ＤＰＳ：dynamic point selection）のために特定される。チャネル測定リソースはまた、他のタイプの多地点協調オペレーションのために特定され得る。
【００４６】
［0054］  前述のように、干渉測定リソースは、ノン・ゼロ・パワーＣＳＩ-ＲＳリソースおよび／またはゼロ・パワーＣＳＩ-ＲＳリソースを含み得る。ＵＥは、異なる干渉前提（interference assumption）の下でＣＳＩフィードバックを提供するために、干渉測定リソースにおける干渉を測定するように構成され得る。特に、各干渉測定リソースに関しては、ＵＥが、干渉測定リソースを含むリソースにおいて干渉を測定し得る。
【００４７】
［0055］  ＬＴＥリリース１１では、強化された制御チャネル（an enhanced control channel）、例えば強化されたＰＤＣＣＨ（ＥＰＤＣＣＨ）が導入される。サブフレームにおいて最初のいくつかの制御シンボルを占有する従来の制御チャネルに対して、強化された制御チャネルは、共有チャネル（例えばＰＤＳＣＨ）と同様に、サブフレームのデータ領域を占有し得る。強化された制御チャネルは、制御チャネル容量を増大し、周波数ドメイン・セル間干渉協調（ＩＣＩＣ：inter-cell interference coordination）をサポートし、制御チャネル・リソースの空間的再利用を改良し、ビームフォーミングおよび／またはダイバーシチをサポートし、新しいキャリア・タイプにおいて動作し、単一周波数ネットワークにわたるマルチメディア・ブロードキャスト（ＭＢＳＦＮ：multimedia broadcast over single frequency network）において動作し、および／または、従来のユーザ機器（ＵＥ）と同じキャリア上に共存し得る。
【００４８】
［0056］  ＬＴＥリリース８／９／１０において、各ＵＥは、一組のダウンリンク制御チャネル復号候補（downlink control channel decoding candidates）をモニタする。一般に、２組のダウンリンク制御チャネル復号候補、すなわち共通探索空間（ＣＳＳ：common search space）およびＵＥ固有の探索空間がある。共通探索空間は、最大で６つの復号候補、例えばアグリゲーション・レベル８に関わる２つの候補およびアグリゲーション・レベル４に関わる４つの候補を含み得る。アグリゲーション・レベルＮは、Ｎ個の制御チャネル要素（ＣＣＥ）として定義される。各制御チャネル要素は、３６個のリソース要素（ＲＥ）を含む。共通探索空間は、全てのＵＥに共通し、システム情報、ページング情報、および／またはランダム・アクセス・チャネル（ＲＡＣＨ）応答のような情報をブロードキャストするために主に使用される。共通探索空間はまた、ユニキャスト・スケジューリングのために使用され得る。各復号候補に関しては、２つの異なるダウンリンク制御情報（ＤＣＩ：downlink control information）フォーマット・サイズの最大値が、特定され得る。かくして、システムには１２個のブラインド復号（blind decodes）があり得る。
【００４９】
［0057］  図７は、さまざまな強化された制御チャネル構造の一例を示す。一構成では、強化された制御チャネル構造は、リレー物理ダウンリンク制御チャネル（Ｒ-ＰＤＣＣＨ：relay physical downlink control channel）構造と同じであり得る。別の構成では、強化された制御チャネルは、ピュアＦＤＭ（pure-FDM）のように、周波数分割多重化（ＦＤＭ）され得る。さらに別の構成では、強化された制御チャネル構造は、時分割多重化される。またさらに別の構成では、強化された制御チャネルは、リレー物理ダウンリンク制御チャネル（Ｒ-ＰＤＣＣＨ）と、類似しているが同じではない。さらに別の構成では、強化された制御チャネルは、時分割多重化されたものと周波数分割多重化されたものの組み合わせであり得る。
【００５０】
［0058］  本開示の一態様は、共有ダウンリンクチャネルおよび／または強化された制御チャネルのための干渉信号／干渉除去（an interfering signal/interference cancellation）（ＩＳ／ＩＣ）オペレーションを容易にするためにＵＥへのシグナリングを提供することに関わる。一構成では、シグナリングは、干渉するチャネルに関連したセルＩＤが（複数を含む）仮想セルＩＤに関連する場合に提供される。
【００５１】
［0059］  物理セルＩＤは、プライマリ同期信号（ＰＳＳ：primary synchronization signal）および／またはセカンダリ同期信号（ＳＳＳ：secondary synchronization signal）から検出され、および、各セルに対して固定である。逆に、仮想セルＩＤは、各セルに関して変化し得る。物理セルＩＤを有するチャネルは、仮想セルＩＤを有するチャネルと比較して、ブラインド復号を介して検出される可能性がより高い。したがって、干渉するチャネルに関連したセルＩＤが（複数を含む）仮想セルＩＤに関連する場合にシグナリングを提供することが望ましい。
【００５２】
［0060］  一構成では、干渉するチャネルは、同じセルまたは異なるセル、および／または、同じまたは異なるＵＥからであり得る。干渉するチャネルのＣＳＩ-ＲＳは、干渉するチャネルによって引き起こされる干渉を緩和する（mitigate）ために使用され得る。すなわち、ＵＥは、１つ以上の近隣セルのＣＳＩ-ＲＳによって引き起こされる干渉を緩和するために、１つ以上の近隣セルのＣＳＩ-ＲＳ構成を使用し得る。
【００５３】
［0061］  ＣＳＩ-ＲＳを処理する（handling）ためのさまざまなシグナリング・オプションが特定され得る。一構成では、複数の近隣セルからのＣＳＩ-ＲＳ構成の上位集合（superset）がＵＥにシグナリングされる。すなわち、１つの近隣セルの異なるユーザのＣＳＩ-ＲＳ構成および／または複数の近隣セルのＣＳＩ-ＲＳ構成の上位集合が、ＵＥにシグナリングされる。上位集合は、サブフレーム、仮想セルＩＤ(ＶＣＩＤ)、および／または、各サブセット内のＣＳＩ-ＲＳプロセスの最大数に関して、シグナリングされ得る。さらに、サブフレーム・シフト（a subframe shift）がマクロ・レイヤおよびピコ・レイヤの間の異機種ネットワーク（ＨｅｔＮｅｔｓ：heterogeneous networks）において使用される場合、サブフレーム・シフト（「ｎ_ｓ」）はまた、ＵＥが正しいＣＳＩ-ＲＳスクランブル・シーケンス（correct CSI-RS scrambling sequence）を推測することができるように、シグナリングされ得る。さらに、一構成では、ゼロ・パワー（ＺＰ）およびノン・ゼロ・パワー（ＮＺＰ）ＣＳＩ-ＲＳの両方を含むＣＳＩ-ＲＳ構成の上位集合が、ＵＥにシグナリングされ得る。代わって、別の構成では、ゼロ・パワーＣＳＩ-ＲＳ構成のみがシグナリングされ、ブラインド検出が、ノン・ゼロ・パワーＣＳＩ-ＲＳ構成を検出するために使用される。
【００５４】
［0062］  別の構成では、近隣セルのＣＳＩ-ＲＳサブフレーム構成が、ＵＥにシグナリングされる。すなわち、特定のＣＳＩ-ＲＳサブフレームに関わるＣＳＩ-ＲＳのみが、ＵＥに送信される。この構成では、ＵＥは、受信されたＣＳＩ-ＲＳサブフレーム構成に基づいて、ＣＳＩ-ＲＳサブフレームに関わる干渉除去／干渉管理（interference cancellation/interference management）（ＩＣ／ＩＭ）処理をスキップし得る。すなわち、多数のＣＳＩ-ＲＳ構成に関わるブラインド検出を回避し、および／または、性能を改良するために、ＵＥは、例えばパワー消費を低減するために、サブフレームにＣＳＩ-ＲＳがあるときはいつでも干渉除去をバイパス（すなわちスキップ）し得る。
【００５５】
［0063］  さらに、さらに別の構成では、ＵＥはＣＳＩ-ＲＳサブフレーム内でＣＳＩ-ＲＳブラインド復号を実施する。さらに、ネットワークは、各ゼロ・パワーＣＳＩ-ＲＳが固定の一組のリソース要素（ＲＥ）をカバーするように、各ゼロ・パワーＣＳＩ-ＲＳを構成し得る。さらに、ネットワーク構成の（network configured）ゼロ・パワーＣＳＩ-ＲＳもまた、ノン・ゼロ・パワーＣＳＩ-ＲＳをカバーし得る。すなわち、ノン・ゼロ・パワーＣＳＩ-ＲＳおよびゼロ・パワーＣＳＩ-ＲＳは、同じリソースにマップされ得る。かくして、ダウンリンク共有チャネル除去は、干渉するダウンリンク共有チャネルのレート・マッチング（rate matching）が動的に変化しないので、容易となり得る。
【００５６】
［0064］  さらに別の構成では、ＣＳＩ-ＲＳのために使用され得る一組のＲＥまたはＣＳＩ-ＲＳ構成指標（CSI-RS configuration indices）が、制限される。この構成では、複数のｅノードＢ間のメッセージングが、情報を交換するために使用され得る。無線リソース制御（ＲＲＣ）シグナリングは、ＣＳＩ-ＲＳ構成セットの進化した受信機能力を有するＵＥに通知するように指定され得る。
【００５７】
［0065］  全ての可能なＣＳＩ-ＲＳ構成を使用することの代わりに、さまざまなネットワーク制限が、シグナリングを低減するために実装され得る。一構成では、ＣＳＩ-ＲＳ仮想セルＩＤのマッピングが、物理セルＩＤ（physical cell ID）(ＰＣＩ)と同じであるように制限され得る。特に、物理セルＩＤは、ＵＥによってより検出可能であり得る。したがって、物理セルＩＤにＣＳＩ-ＲＳ仮想セルＩＤをマッピングすることは、ＣＳＩ-ＲＳ構成の検出を改良し得る。さらに、同じサブフレームがすべての近隣セルのＣＳＩ-ＲＳのために使用され得る。これらのサブフレームに関しては、ＵＥはコード・ワード・レベル干渉除去（code word level interference cancellation）を実施しない。さらに、別の構成では、近隣セルにわたるノン・ゼロ・パワーＣＳＩ-ＲＳおよびゼロ・パワーＣＳＩ-ＲＳの合併（union）は、サブフレーム内では同じである。別の構成では、ＣＳＩ-ＲＳが、全ての可能な仮想セルＩＤから特定の（すなわち制限された）一組の仮想セルＩＤに制限される。またさらに別の構成では、ＵＥは、（複数を含む）近隣セルのＣＳＩ-ＲＳサブフレームをシグナリングされ得る。
【００５８】
［0066］  本開示の別の態様では、復調基準信号（ＤＭ-ＲＳ）がＣＳＩ-ＲＳとリンクされる。すなわち、ＤＭ-ＲＳが仮想セルＩＤに基づいてＣＳＩ-ＲＳにリンクされ得る。ＵＥがＤＭ-ＲＳを検出するとＵＥがＣＳＩ-ＲＳ構成に気づくような方法で、ＤＭ-ＲＳおよびＣＳＩ-ＲＳの構成をリンクすることが望ましい。別の構成では、ＤＭ-ＲＳおよびＣＳＩ-ＲＳは、同じ仮想セルＩＤを使用する。
【００５９】
［0067］  復調基準信号は、ＣＳＩ-ＲＳと比較してより検出可能であり得る。ＤＭ-ＲＳは、周知のリソース要素ロケーションに存在し、ＤＭ-ＲＳがひとたび検出されると、ＣＳＩ-ＲＳが決定され得る。特に、所定のサブフレームでは、ＵＥは除去されるべき干渉するダウンリンク共有チャネルによって使用されるＤＭ-ＲＳ仮想セルＩＤを決定する。検出されたＤＭ-ＲＳ仮想セルＩＤに基づいて、ＵＥは、特定のサブフレームで使用されるべき一組のゼロ・パワーＣＳＩ-ＲＳを決定する。ネットワークは、ダウンリンク制御情報（ＤＣＩ）フォーマット２Ｄに存在するビットを介して、ゼロ・パワーＣＳＩ-ＲＳセットを動的にシグナリングし得る。ＵＥは、関連する決定されたゼロ・パワーＣＳＩ-ＲＳセットに基づいて干渉するダウンリンク共有チャネルの干渉除去を実施する。当業者は、同様の手順がノン・ゼロ・パワーＣＳＩ-ＲＳ関連のパラメータに対して実装され得ることを理解するだろう。
【００６０】
［0068］  ページング情報はまた、いつＣＳＩ-ＲＳをドロップするかを決定するのを支援するために、決定されることができる。一構成では、ＵＥは、近隣セルのページング情報およびＣＳＩ-ＲＳ構成を通知される。特に、ページング関連の情報は、ＣＳＩ-ＲＳ関連のパラメータのシグナリングの一部として送信され得る。ＣＳＩ-ＲＳ送信は、ページングの発生（paging occurrences）との衝突により、ドロップされ得る。別の構成では、ＵＥは、近隣セルのようなノン・サービング・セル（non-serving cell）のページング関連のパラメータを通知され、この結果、ＵＥはノン・サービング・セルのＣＳＩ-ＲＳがドロップされるときを推測することができる。
【００６１】
［0069］  ｅノードＢは、受信機の機能および／または受信機のタイプに基づいて、ページング情報のような情報のシグナリングを変更し得る。すなわち、追加のオプションがさまざまなタイプの進化した受信機のために利用可能であり得る。一構成では、ＵＥは、ｅノードＢにそれの受信機のタイプ／機能をシグナリングするように構成されている。ネットワークはそれに応じて動作することができる。例えば、最小平均２乗誤差および干渉排除結合器（minimum mean square error and interference rejection combiner）（ＭＭＳＥ-ＩＲＣ）タイプの進化した受信機に関しては、ＣＳＩ-ＲＳ構成のシグナリングが必要でない可能性がある。最大尤度（ＭＬ：maximum likelihood）およびシンボル・レベル干渉除去（ＩＣ）受信機に関しては、ＣＳＩ-ＲＳトーンが、ブラインド推定のために回避される。それに応じて、ＣＳＩ-ＲＳの存在がブラインド復号され得るか、ＣＳＩ-ＲＳロケーションがシグナリングされ得る。コード・ワード・レベル干渉除去受信機（code word level interference cancellation receiver）に関しては、レート・マッチングに関わるＣＳＩ-ＲＳの明示的な情報がシグナリングされ得る。
【００６２】
［0070］  図８Ａ−図８Ｃは、ＣＳＩ-ＲＳを扱うための方法を示す。特に、図８Ａは、本開示の一態様にしたがってＣＳＩ-ＲＳ構成を送信するための方法８０１を示す。図８Ａに示されているように、ｅノードＢは、ブロック８１０において、干渉するＣＳＩ-ＲＳによって引き起こされる干渉を緩和するために、ＵＥにＣＳＩ-ＲＳ構成情報を送信する。ＣＳＩ-ＲＳ構成情報は、近隣セルのＣＳＩ-ＲＳ構成情報であり得る。ブロック８１２では、ｅノードＢが構成情報にしたがってＣＳＩ-ＲＳを送信する。
【００６３】
［0071］  一構成では、ｅノードＢ６１０が、送信するための手段を含むワイヤレス通信のために構成される。一態様では、送信手段は、送信手段によって列挙される機能を実施するように構成されたアンテナ６２０、変調器６１８、送信プロセッサ６１６、メモリ６７６、および／または制御装置／プロセッサ６７５であり得る。別の態様では、前述の手段は、前述の手段によって列挙されている機能を実施するように構成されている任意の装置または任意のモジュールであり得る。
【００６４】
［0072］  図８Ｂは、本開示の一態様にしたがって仮想セルＩＤを検出するための方法８０２を示す。図８Ｂに示されているように、ＵＥは、ブロック８２０において、干渉するデータ・チャネルに関連した復調基準信号（ＤＭ-ＲＳ）の仮想セルＩＤを検出する。ＵＥは、ブロック８２２において、一組のチャネル状態情報基準信号（ＣＳＩ-ＲＳs）のうちのいずれが、検出された仮想セルＩＤに少なくとも部分的に基づいて存在するかを、決定する。次に、ブロック８２４では、決定に少なくとも部分的に基づいて、干渉するデータ・チャネルにおいて、干渉除去が実施される。
【００６５】
［0073］  一構成では、ＵＥ６５０は、検出するための手段を含むワイヤレス通信のために構成されている。一態様では、検出手段は、検出手段によって列挙されている機能を実施するように構成されているメモリ６６０、および／または制御装置プロセッサ６５９であり得る。ＵＥはまた、決定するための手段を含むように構成される。一態様では、決定手段は、決定手段によって列挙されている機能を実施するように構成されているメモリ６６０および／または制御装置／プロセッサ６５９であり得る。ＵＥはまた、干渉除去を実施するための手段を含むように構成されている。一態様では、実施手段は、実施手段によって列挙されている機能を実施するように構成されているメモリ６６０および／または制御装置／プロセッサ６５９であり得る。別の態様では、前述の手段は、前述の手段によって列挙されている機能を実施するように構成されている任意の装置または任意のモジュールであり得る。
【００６６】
［0074］  図８Ｃは、本開示の別の態様にしたがってＣＳＩ-ＲＳ構成を受信するための方法８０３を示す。図８Ｃに示されているように、ＵＥは、ブロック８３２において、干渉するＣＳＩ-ＲＳによって引き起こされる干渉を緩和するためにＣＳＩ-ＲＳ構成情報を受信する。ＣＳＩ-ＲＳ構成情報は、近隣セルのＣＳＩ-ＲＳ構成情報であり得る。ブロック８３４では、ＵＥは、構成情報に基づいて干渉を緩和する。
【００６７】
［0075］  一構成では、ＵＥ６５０は、受信するための手段を含むワイヤレス通信のために構成される。一態様では、受信手段は、受信手段によって列挙される機能を実施するように構成されているアンテナ６５２、変調器６５４、受信プロセッサ６５６、メモリ６６０、および／または制御装置プロセッサ６５９であり得る。ＵＥはまた、緩和するための手段を含むように構成されている。一態様では、緩和手段は、緩和手段によって列挙される機能を実施するように構成されているメモリ６６０および／または制御装置／プロセッサ６５９であり得る。別の態様では、前述の手段は、前述の手段によって列挙されている機能を実施するように構成されている任意の装置または任意のモジュールであり得る。
【００６８】
[0076］  図９は、処理システム９１４を用いる装置９００のためのハードウェア実装の一例を示す図である。処理システム９１４は、バス９２４によって一般に示されている、バス・アーキテクチャで実装され得る。バス９２４は、処理システム９１４の特定のアプリケーションおよび全体の設計制限に依存して、任意の数の相互接続バスおよびブリッジを含み得る。バス９２４は、プロセッサ９２２、モジュール９０８、９１０、９１２、およびコンピュータ可読媒体９２６によって示されている１つ以上のプロセッサ、および／または、ハードウェア・モジュールを含むさまざまな回路を、一緒にリンクさせる。バス９２４はまた、タイミング・ソース、周辺機器、電圧レギュレータ、およびパワー・マネジメント回路などのさまざまな他の回路をリンクさせ得、それらは本分野でよく知られているものであり、したがって、これ以上は説明されない。
【００６９】
[0077］  装置は、トランシーバ９３０に接続されている処理システム９１４を含む。トランシーバ９３０は、１つ以上のアンテナ９２０に結合されている。トランシーバ９３０は、送信媒体を介してさまざまな他の装置と通信することを可能にする。処理システム９１４は、コンピュータ可読媒体９２６に結合されているプロセッサ９２２を含む。プロセッサ９２２は、コンピュータ可読媒体９２６に記憶されるソフトウェアの実行を含む一般的な処理に関与する。ソフトウェアは、プロセッサ９２２によって実行されるとき、処理システム９１４に、任意の特定の装置に関して説明されるさまざまな機能を実施させる。コンピュータ可読媒体９２６はまた、ソフトウェアを実行するときにプロセッサ９２２によって操作されるデータを記憶するために使用され得る。
【００７０】
[0078］  処理システム９１４は、干渉するデータ・チャネルに関連したＤＭ-ＲＳの仮想セルＩＤを検出するための検出モジュール９０８を含む。処理システム９１４はまた、一組のＣＳＩ-ＲＳのうちのいずれが、検出された仮想セルＩＤに少なくとも部分的に基づいて存在するかを決定するための決定モジュール９１０を含む。処理システム９１４は、干渉除去を実施するための実施モジュール９１２をさらに含み得る。このモジュールは、コンピュータ可読媒体９２６内にあり／記憶されている、プロセッサ９２２において動作するソフトウェア・モジュール、プロセッサ９２２に結合されている１つ以上のハードウェア・モジュール、またはこれらのある組合せであり得る。処理システム９１４は、ＵＥ６５０のコンポーネントであり得、メモリ６６０、および／または制御装置／プロセッサ６５９を含み得る。
【００７１】
［0079］  図１０は、処理システム１０１４を用いる装置１０００のためのハードウェア実装の一例を示す図である。処理システム１０１４は、バス１０２４によって一般的に示されている、バス・アーキテクチャで実装され得る。バス１０２４は、処理システム１０１４の特定のアプリケーションおよび全体の設計制限に依存して、任意の数の相互接続バスおよびブリッジを含み得る。バス１０２４は、プロセッサ１０２２、モジュール１００８、１０１０、およびコンピュータ可読媒体１０２６によって示されている、１つ以上のプロセッサ、および／または、ハードウェア・モジュールを含むさまざまな回路を、一緒にリンクさせる。バス１０２４はまた、タイミング・ソース、周辺機器、電圧レギュレータ、およびパワー・マネジメント回路などのさまざまな他の回路をリンクさせ得、それらは本分野でよく知られているものであり、したがって、これ以上は説明されない。
【００７２】
［0080］  装置は、トランシーバ１０３０に結合されている処理システム１０１４を含む。トランシーバ１０３０は、１つ以上のアンテナ１０２０に結合されている。トランシーバ１０３０は、送信媒体を介してさまざまな他の装置と通信することを可能にする。処理システム１０１４は、コンピュータ可読媒体１０２６に結合されているプロセッサ１０２２を含む。プロセッサ１０２２は、コンピュータ可読媒体１０２６に記憶されるソフトウェアの実行を含む一般的な処理に関与する。ソフトウェアは、プロセッサ１０２２によって実行されるとき、処理システム１０１４に、任意の特定の装置に関して説明されるさまざまな機能を実施させる。コンピュータ可読媒体１０２６はまた、ソフトウェアを実行するときにプロセッサ１０２２によって操作されるデータを記憶するために使用され得る。
【００７３】
［0081］  処理システム１０１４は、干渉するＣＳＩ-ＲＳによって引き起こされる干渉を緩和するためにＣＳＩ-ＲＳ構成情報を受信するための受信モジュール１００８を含む。ＣＳＩ-ＲＳ構成情報は、近隣セルのＣＳＩ-ＲＳ構成情報であり得る。処理システム１０１４はまた、構成情報に基づいて干渉を緩和するための緩和するモジュール１０１０を含む。モジュールは、コンピュータ可読媒体１０２６にあり／記憶されている、プロセッサ１０２２において動作するソフトウェア・モジュール、プロセッサ１０２２に結合されている１つ以上のハードウェア・モジュール、またはこれらのある組合せであり得る。処理システム１０１４は、ＵＥ６５０のコンポーネントであり得、メモリ６６０、および／または制御装置／プロセッサ６５９を含み得る。
【００７４】
［0082］  図１１は、処理システム１１１４を用いる装置１１００のためのハードウェア実装の一例を示す図である。処理システム１１１４は、バス１１２４によって概して示されているバス・アーキテクチャで実装され得る。バス１１２４は、処理システム１１１４の特定のアプリケーションおよび全体の設計制限に依存して、任意の数の相互接続バスおよびブリッジを含み得る。バス１１２４は、プロセッサ１１２２、モジュール１１０８、およびコンピュータ可読媒体１１２６によって示されている１つ以上のプロセッサ、および／または、ハードウェア・モジュールを含むさまざまな回路を、一緒にリンクさせる。バス１１２４はまた、タイミング・ソース、周辺機器、電圧レギュレータ、およびパワー・マネジメント回路などのさまざまな他の回路をリンクさせ得、それらは本分野でよく知られているものであり、したがって、これ以上は説明されない。
【００７５】
［0083］  装置は、トランシーバ１１３０に結合されている処理システム１１１４を含む。トランシーバ１１３０は、１つ以上のアンテナ１１２０に結合されている。トランシーバ１１３０は、送信媒体を介してさまざまな他の装置と通信することを可能にする。処理システム１１１４は、コンピュータ可読媒体１１２６に結合されているプロセッサ１１２２を含む。プロセッサ１１２２は、コンピュータ可読媒体１１２６に記憶されるソフトウェアの実行を含む一般的な処理に関与する。ソフトウェアは、プロセッサ１１２２によって実行されるとき、処理システム１１１４に、任意の特定の装置に関して説明されているさまざまな機能を実施させる。コンピュータ可読媒体１１２６はまた、ソフトウェアを実行するときにプロセッサ１１２２によって操作されるデータを記憶するために使用され得る。
【００７６】
［0084］  処理システム１１１４は、干渉するＣＳＩ-ＲＳによって引き起こされる干渉を緩和するために、ＵＥにＣＳＩ-ＲＳ構成情報を送信するための送信モジュール１１０８を含む。ＣＳＩ-ＲＳ構成情報は、近隣セルのＣＳＩ-ＲＳ構成情報であり得る。送信モジュール１１０８はまた、構成情報にしたがってＣＳＩ-ＲＳを送信するように構成され得る。モジュールは、コンピュータ可読媒体１１２６にあり／記憶されている、プロセッサ１１２２において動作するソフトウェア・モジュール、プロセッサ１１２２に結合されている１つ以上のハードウェア・モジュール、またはこれらのある組合せであり得る。処理システム１１１４は、ｅノードＢ６１０のコンポーネントであり得、メモリ６７６、および／または制御装置／プロセッサ６７５を含み得る。
【００７７】
［0085］  一構成では、ｅノードＢ６１０は、決定するための手段を含むワイヤレス通信のために構成される。本開示の一態様では、決定手段が決定手段によって列挙される機能を実施するように構成されているメモリ６４６、プロセッサ１１２２、および／または制御装置／プロセッサ６７５であり得る。ｅノードＢ６１０はまた、送信するための手段を含むように構成されている。一構成では、送信手段は、送信手段によって列挙される機能を実施するように構成されているアンテナ１１２０、トランシーバ１１３０、送信モジュール１１０８、アンテナ６２０、変調器６１８、および／または制御装置プロセッサ６１６であり得る。別の構成では、前述の手段は、前述の手段によって列挙されている機能を実施するように構成されている任意の装置または任意のモジュールであり得る。
【００７８】
［0086]  一構成では、ＵＥ６５０は、受信するための手段を含むワイヤレス通信のために構成される。本開示の一態様では、受信手段は、受信手段によって列挙される機能を実施するように構成されているアンテナ１０２０、トランシーバ１０３０、受信モジュール１００９、アンテナ６５２、変調器６５４、受信プロセッサ６５６、メモリ６６０、および／または制御装置／プロセッサ６５９であり得る。ＵＥ６５０はまた、干渉を緩和するための手段を含むワイヤレス通信のために構成され得る。一構成では、緩和手段は、緩和手段によって列挙される機能を実施するように構成されている緩和モジュール１０１０、プロセッサ１０２２、受信プロセッサ６５６、メモリ６６０、および／または制御装置／プロセッサ６５９であり得る。
【００７９】
［0087]  別の構成では、ＵＥ６５０は、検出するための手段を含むワイヤレス通信のために構成される。本開示の一態様では、受信手段は、受信手段によって列挙される機能を実施するように構成されている検出モジュール９０８、変調器６５４、受信プロセッサ６５６、メモリ６６０、および／または制御装置／プロセッサ６５９であり得る。ＵＥ６５０はまた、決定するための手段を含むワイヤレス通信のために構成され得る。一構成では、決定手段は、緩和手段によって列挙される機能を実施するように構成されている決定モジュール９１０、プロセッサ１０２２、受信プロセッサ６５６、メモリ６６０、および／または制御装置／プロセッサ６５９であり得る。ＵＥ６５０はまた、実施するための手段を含むワイヤレス通信のために構成され得る。一構成では、実施手段は、緩和手段によって列挙される機能を実施するように構成されている実施モジュール９１２、プロセッサ１０２２、受信プロセッサ６５６、メモリ６６０、および／または制御装置／プロセッサ６５９であり得る。
【００８０】
[0088]  当業者は、さらに、ここに本開示に関連して説明されるさまざまな例示的なブロック、モジュール、回路、およびアルゴリズム・ステップが、電子ハードウェア、コンピュータ・ソフトウェア、またはこれら両方の組合せとして実装され得ることを、理解するだろう。ハードウェアおよびソフトウェアのこの互換性を明確に示すために、さまざまな例示的なコンポーネント、ブロック、モジュール、回路、およびステップが、概してこれらの機能性の観点で、上に説明されている。このような機能性がハードウェアとして実装されるか、またはソフトウェアとして実装されるかは、システム全体に課せられた設計制限および特定のアプリケーションに依存する。精通した当業者は、各特定のアプリケーションのためにさまざまな方法で開示された機能性を実装し得るが、このような実装の決定は、本開示の範囲からの逸脱を招くとして解釈されるべきではない。
【００８１】
[0089]  ここに本開示に関連して説明されるさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、または他のプログラマブル・ロジック・デバイス、離散ゲート、またはトランジスタ・ロジック、離散ハードウェア・コンポーネント、またはここに説明されている機能を実施するように設計されているこれらの任意の組合せによって実施されまたは実装され得る。汎用プロセッサは、マイクロプロセッサであり得るが、別の方法では、プロセッサは、任意の従来のプロセッサ、制御装置、マイクロコントローラ、またはステート・マシンであり得る。プロセッサはまた、複数のコンピューティング・デバイスの組合せ、例えば、ＤＳＰおよびマイクロプロセッサの組合せ、複数のマイクロプロセッサ、ＤＳＰコアと連結されている１つ以上のマイクロプロセッサ、またはその他任意のこのような構成として、実装され得る。
【００８２】
[0090]  ここに本開示に関連して説明されているアルゴリズムまたは方法のステップは、直接的にハードウェアにおいて、プロセッサによって実行されるソフトウェア・モジュールにおいて、または、これら２つの組合せにおいて、具現化され得る。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ-ＲＯＭ、または本分野で知られているその他任意の形態の記憶媒体において存在し得る。例示的な記憶媒体は、プロセッサがその記憶媒体から情報を読み取りかつその記憶媒体に情報を書込むことができるように、プロセッサに結合されている。別の方法では、記憶媒体はプロセッサと一体であり得る。プロセッサおよび記憶媒体は、ＡＳＩＣに存在し得る。ＡＳＩＣは、ユーザ端末に存在し得る。別の方法では、プロセッサおよび記憶媒体は、ユーザ端末において離散コンポーネントとして存在し得る。
【００８３】
[0091]  １つ以上の例示的な設計では、説明されている機能が、ハードウェア、ソフトウェア、ファームウェア、またはその他任意の組合せにおいて実装され得る。ソフトウェアにおいて実装される場合、機能は、コンピュータ可読媒体において１つ以上の命令またはコードとして、記憶され得るか、送信され得る。コンピュータ可読媒体は、ある場所から別の場所へのコンピュータ・プログラムの送信を容易にする任意の媒体を含む通信媒体、および、コンピュータ記憶媒体の両方を含む。記憶媒体は、汎用のまたは特殊用途のコンピュータによってアクセスされることができる任意の利用可能な媒体であり得る。限定ではなく例の目的で、このようなコンピュータ可読媒体は、ＲＡＭ、ＲＯＭ、ＥＥＰＲＯＭ、ＣＤ-ＲＯＭ、または他の光ディスク記憶装置、磁気ディスク記憶装置、または他の磁気記憶デバイス、または、命令またはデータ構造の形態で所望のプログラム・コード手段を伝送または記憶するために使用されることができ、汎用のまたは特殊用途のコンピュータ、または汎用のまたは特殊用途のプロセッサによってアクセスされることができるその他任意の媒体を備えることができる。また、任意の接続が、コンピュータ可読媒体と適切に称される。例えば、ソフトウェアが、ウェブサイト、サーバ、または他の遠隔ソースから、同軸ケーブル、光ファイバー・ケーブル、ツイスト・ペア、デジタル加入者回線（ＤＳＬ）、または、赤外線の、無線の、およびマイクロ波のようなワイヤレス技術を使用して送信される場合、同軸ケーブル、光ファイバー・ケーブル、ツイスト・ペア、ＤＳＬ、または、赤外線の、無線の、およびマイクロ波のようなワイヤレス技術は、媒体の定義に含まれる。ここに使用されているようなディスク（disk）およびディスク（disc）は、コンパクト・ディスク（ＣＤ)、レーザ・ディスク、光ディスク、デジタル多用途ディスク（ＤＶＤ)、フロッピー・ディスク、およびブルーレイ（登録商標）・ディスクを含み、ディスク（disk）は通例磁気的にデータを再生し、これに対してディスク（disc）は、レーザを用いて光学的にデータを再生する。上記の組合せもまた、コンピュータ可読媒体の範囲内に含まれるべきである。
【００８４】
［0092］  本開示の前述の説明は、当業者の誰もが本開示を使用および生成することを可能にするために、提供されている。本開示に対するさまざまな変更は、当業者には容易に理解されるものであり、ここに定義される一般的な原則は、本開示の範囲または精神を逸脱することなく、他の変形にも適用され得る。かくして、本開示は、ここに説明されている設計および例に制限されることは意図されておらず、しかし、ここに開示される新規の特徴および原理に一致する最も広い範囲が与えられるべきである。
【図１】
2016524353.tif 000003
【図２】
2016524353.tif 000004
【図３】
2016524353.tif 000005
【図４】
2016524353.tif 000006
【図５】
2016524353.tif 000007
【図６】
2016524353.tif 000008
【図７】
2016524353.tif 000009
【図８Ａ】
2016524353.tif 000010
【図８Ｂ】
2016524353.tif 000011
【図８Ｃ】
2016524353.tif 000012
【図９】
2016524353.tif 000013
【図１０】
2016524353.tif 000014
【図１１】
2016524353.tif 000015
【国際調査報告】
2016524353.tif 000016
2016524353.tif 000017
2016524353.tif 000018
2016524353.tif 000019
2016524353.tif 000020